(57)【要約】【課題】本発明は、巣板の消毒を低コストで実施できて小規模の養蜂家向きで、消毒作業が容易にでき、かつホルマリン溶液を効果的に利用することにより消毒効果の大きい巣板の消毒装置及びその消毒方法を提供する。【解決手段】本発明は、上記課題を解決するために、通気孔を設けた上空間と、前記上空間の下には、中央部の縦方向に設けた縦仕切り板の左右に格子戸状の複数の棚板を取り付け、前記棚板上に複数の巣板を収納する収納室を形成し、前記上空間をも閉める開閉可能な上扉を設けた上部空間と、前記上部空間の下には、四方が上方に起立させた構造で、底が平坦な受け皿を設置し、開閉できる下扉を取り付けた下部空間とからなることを特徴とする巣板の消毒装置とした。【選択図】図２
2014018166.tif 000002
【特許請求の範囲】
【請求項１】
通気孔を設けた上空間と、
前記上空間の下には、中央部の縦方向に設けた縦仕切り板の左右に格子戸状の複数の棚  板を取り付け、前記棚板上に複数の巣板を収納する収納室を形成し、前記上空間をも閉  める開閉可能な上扉を設けた上部空間と、
前記上部空間の下には、四方が上方に起立させた構造で、底が平坦な受け皿を設置し、  開閉できる下扉を取り付けた下部空間と
からなることを特徴とする巣板の消毒装置
【請求項２】
棚板を格子戸状の構造としたことを特徴とする請求項１に記載の巣板の消毒装置。
【請求項３】
棚板を上部空間から出し入れ可能にしたことを特徴とする請求項１乃至請求項２に記載
の巣板の消毒装置。
【請求項４】
上扉の一部を透明としたことを特徴とする請求項２乃至請求項３に記載の巣板の消毒装  置。
【請求項５】
上部空間２内に寒暖計を取り付けたことを特徴とする請求項２乃至請求項４に記載の巣  板の消毒装置。
【請求項６】
下部空間にホルマリン容器を設置し、前記ホルマリン容器を一定の温度で保持するよう  に加熱してホルマリン溶液ガスを発生せしめ、前記発生したガスを下部空間、上部空間、  上空間に順次の上方に流し、下仕切り棚板上、下部空間の棚板上及び上仕切り棚板上に  置かれた多数の巣板を一気に消毒することを特徴とする巣板の消毒方法。
【発明の詳細な説明】
【技術分野】
【０００１】
本発明は、ミツバチの巣板（巣脾）を収容するミツバチ用巣箱内にセットして使用する巣板を衛生的に保持し、育成中のミツバチの幼虫を病気から守るための巣板の消毒装置及びその消毒方法に関する。
【背景技術】
【０００２】
ミツバチ飼育の環境条件として、巣板（巣脾）を収容するミツバチ用巣箱内の温度は、通常３５℃程度に保たれている。つまり巣箱内の温度は、常に高温、多湿であって、糖や蛋白質等の栄養と水分に富み、巣板内の幼虫は病原菌の繁殖し易い環境条件下にある。
また、ミツバチの巣板は集めた蜜を蓄えるとともに育児のための部屋でもあることから、特にミツバチの幼虫期は病気に対する抵抗力が弱いので、巣板は常に衛生的であることが必要である。
【０００３】
前記ミツバチには、ウィルス性の法定伝染病および細菌性の病気がある。前記法定伝染病に羅病したミツバチは、病気の届出を行って消毒を実施し、死亡したミツバチの体は地下１ｍ以上に埋めることが規定されている。
【０００４】
かかる法定伝染病、細菌性の病気の防除のためには、次のような解決すべき課題がある。
（１）農薬散布消毒などの薬剤使用は、自然食品である蜂蜜での毒物移行の危険性がある      ため、採用できない。
（２）抗生物質の使用は、自然食品としての蜂蜜でのイメージを損なうので使用できない。
（３）ミツバチ蜂体への治療によって病気の回復を待つのは実質的に不可能であり、従って病気の予防をすることが、唯一残された重要な課題である。
【０００５】
前記のように、ミツバチの巣板を収容するミツバチ用巣箱（例えば特許文献３、特開２００１−１７８２９８号公報）内の環境を、常に良くするための消毒法にはホルマリンその他の防除液や、消毒液への浸漬法、消毒液散布法等の予防技術があるが、かかる予防技術は比較的大規模の養蜂家向きであり、中小規模の養蜂家向きの養蜂用具や、巣板を収容する巣箱内の消毒と病気の予防法の確立が求められている。
【０００６】
ミツバチの巣板（巣脾）を収容するミツバチ用巣箱の消毒に用いる▲燻▼蒸消毒法としては、例えば特許文献１（特開２００１−２０５０３２号公報）に示されるように、病院の手術用具の消毒には、エチレンオキサイドガスによる▲燻▼蒸消毒法が、強力な殺菌作用のある消毒として用いられている。
【０００７】
また、養蜂用具の消毒には、巣板（巣脾）のホルマリン液、逆性石鹸液、ピオチノンエース、塩素系の消毒液等に浸漬する方法が有効である（特許文献２（特開２００２−２８２２５号公報））。
【先行技術文献】
【特許文献】
【０００８】
【特許文献１】特開２００１−２０５０３２号公報
【特許文献２】特開２００２−２８２２５号公報
【特許文献３】特開２００１−１７８２９８号公報
【発明の概要】
【発明が解決しようとする課題】
【０００９】
しかしながら、前記特許文献１（特開２００１−２０５０３２号公報）に示されるような、エチレンオキサイドガスによる▲燻▼蒸消毒では、▲燻▼蒸消毒施設の費用が高額であるため、企業的な養蜂経営者や養蜂家の共同経営のような比較的高額に耐えられるような養蜂業者の利用にとどまっている。
【００１０】
また、前記特許文献２（特開２００２−２８２２５号公報）に示されるような、薬液剤による浸漬消毒作業は、浸漬消毒作業及び浸漬後の巣板（巣脾）の水洗作業に多くの労力を要し、また水洗い後の巣板の風乾に長期間を要する。
以上の課題があり、これらの理由から前記のような薬液に巣板を浸漬する消毒方法の採用者は少なかった。
【００１１】
本発明は、かかる従来技術の課題に鑑み、巣板を収容するミツバチ用巣箱に使用した巣板の消毒装置を低コストで出来て小規模の養蜂家向きで、消毒作用が容易で省力的であり、かつホルマリン溶液を効果的に利用することにより消毒効果の極めて大きい巣板の消毒装置及び消毒方法を提供することを目的とする。
【課題を解決するための手段】
【００１２】
本発明の巣板の消毒装置は、かかる目的を達成するもので、通気孔６を設けた上空間１ｆと、前記上空間１ｆの下には、中央部の縦方向に設けた縦仕切り板３ｃの左右に格子戸状の複数の棚板３ａ、３ａ・・・を取り付け、前記棚板３ａ上に複数の巣板１１を収納する収納室２０ａ〜２１ｃを形成する。そして、前記上空間１ｆをも閉める開閉可能な上扉５、５を設けた上部空間２と、前記上部空間２の下には、鋼鉄製で四方が上方に起立させた構造で、底１７ｂが平坦な受け皿１７を設置し、開閉できる下扉４を取り付けた下部空間３とからなることを特徴とする巣板の消毒装置１を提供することを目的とする。
【発明の効果】
【００１３】
本発明である巣板の消毒装置には以下の効果がある。
本巣板の消毒装置は、木製であり上部空間に収納された棚板と棚板上に置かれた巣板を、上部空間を扉で締め切って、巣板の消毒装置の下部空間内に配置したホルマリン溶液を加熱して発生したガスを本発明の巣板の消毒装置内に上昇させることにより、巣板の消毒装置内で多数の巣板を一気に効率的に消毒することができる。そして、巣板内の奥まで完全に消毒することが可能である。
また、本発明である巣板の消毒装置１は、木製であることから製作費が大幅に低減させることができる。
更に、本巣板の消毒装置は木製であるから軽量であるから容易に運搬することができる。
【００１４】
上記のように、本発明のホルマリン溶液から発生するガスで消毒する木製の巣板の消毒装置は軽量で、蜂場の近くに簡単に運搬して容易に設置することができるとともにホルマリン溶液から出るガスで消毒される簡易な構造であるから管理がし易い。
従って、かかるホルマリン溶液のガスで消毒できる本巣板の消毒装置は、消毒費用が低コストである。そして、軽量であるために運搬が容易であり個別養蜂家向きで最適である。
【００１５】
また、本発明である巣板の消毒装置は、各巣板を収納する収納室に約８０枚もの多数の巣板を一度に消毒することが可能である。巣板に形成されている巣房内の奥まで前記ガスが行き渡ることになり巣板の効率的に完全な消毒をすることができる。
【図面の簡単な説明】
【００１６】
【図１】本発明である巣板の消毒装置の外観斜視図である。
【図２】本発明である巣板の消毒装置の上下扉を開いた状態の正面図である。
【図２ａ】本発明である巣板の消毒装置に使用する棚板の平面図である。
【図２ｂ】本発明である巣板の消毒装置に設置されている縦仕切り板の構造を示すための          図２中のＢ−Ｂ線に沿った縦断面図である。
【図３】本発明である巣板の消毒装置の図２におけるＡ―Ａ線断面図である。
【図４】本発明である巣板の消毒装置の棚板を下部空間内に出し入れ自由に取り付ける構        造を示した一部断面の正面図である。
【図４ａ】本発明である巣板の消毒装置の棚板を下部空間内に出し入れ自由に取り付ける        他の構造を示した一部断面の正面図である。
【図５】本発明である巣板の消毒装置に使用される受け皿の拡大斜視図である。
【図６】本発明である巣板の消毒装置に使用されるコンロの拡大斜視図である。
【図７】本発明である巣板の消毒装置を使用して消毒したときの比較表である。
【発明を実施するための形態】
【００１７】
以下に、添付図面を参照し、本発明である巣板の消毒装置の実施例について詳細に説明する。
【実施例】
【００１８】
図１は本発明の実施形態に係る巣板の消毒装置の外観斜視図、図２は前記巣板の消毒装置の上下扉を開いた状態の正面図、図３は図２におけるＡ―Ａ断面図である。
【００１９】
巣板の消毒装置１は木製の装置で、図１に示すように、縦長で直方体状の箱に形成されている。次に、前記巣板の消毒装置１の外観形状について説明すると、図１に示すように、巣板の消毒装置１は、上面を構成する上板１ａ、底面を構成する底板１ｂ、背面を構成する背板１ｅ、両側面を構成する左右側板１ｃ、１ｃとを組み立てて成り、その正面の開口部には、左右の２つの上扉５，５及び左右の２つの下扉４，４がそれぞれ開閉可能に取り付けられている。尚、下扉４には通気孔６が穿設されている。
【００２０】
そして、上板１ａは、背板１ｅの上端に固定されているとともに左右の側板１ｃ、１ｃの上端に固定されている。また、底板１ｂは、背板１ｅの下端及び左右の側板１ｃ、１ｃの下端に固定されている。背板１ｅ、左右の側板１ｃ、１ｃ、底板１ｂの固定は、結合部が強固であることが必要なので釘を打ち込む方法で結合させるのが良い。側板１ｃ、１ｃは、ベニヤ板であっても良い。
【００２１】
２つの上扉５，５は、左右の側板１ｃ、１ｃに４箇所の蝶番１２、１２、１２、１２を介して開閉可能に連結されている。また、上扉５，５は、内部を透視できるように一部がガラス５ａ張りである。上扉５，５には、の開閉し易くするために開閉用の把手５ｂ、５ｂが取り付けられている。また、２つの下扉４，４は、左右の側板１ｃ、１ｃに４箇所の蝶番１３を介して開閉可能に連結されている。符号４ａ、４ａは、下扉４，４の開閉用の把手である。
【００２２】
次に、本願発明である巣板の消毒装置の内部構造について説明する。
図２に示すように、巣板の消毒装置１の内部は、上空間１ｆと上部空間２と下部空間３に区分けされている。上空間１ｆと上部空間２とは上仕切り棚板１ｇにより区分けされていて、上部空間２と下空間３とは下仕切り棚板３ｍにより仕切られている。上仕切り棚板１ｇ及び下仕切り棚板３ｍは、棚板３ａと同じように格子戸状の構造にしても良い。各棚板３ａ、３ａ・・・・は、縦仕切り板３ｃと左右の側板１ｃ、１ｃの間に出し入れ可能な構造に取り付ける。棚板３ａ及び縦仕切り板３ｃの材質は、杉、檜であってもよい。
【００２３】
符号３ｃは縦仕切り板であり、符号３ａ、３ａ、３ａ、３ａ、３ａ、３ａは棚板である。そして、符号１１は巣板である。
図２に示すように、６枚の棚板３ａは、縦仕切り板３ｃの左右に水平に取り付けられている。６枚の棚板３ａ、３ａ、３ａ、３ａ・・・上には多数の巣板１１、１１、１１・・・・が並べられている。符号３ｒは寒暖計である。この寒暖計３ｒは、上部空間２内の温度を計測し、上部空間２内の温度を消毒するに最適な温度にすることが出来るように設置されている。
【００２４】
図２に示すように、上部空間２内には、多数の巣板１１を収納することができる４室の左収納室２２が縦仕切り板３ｃの左方に形成されているととともに、縦仕切り板３ｃの右方にも４室の収納室２３が形成されている。合計８つの収納室が存在し、８収納室には約８０個の巣板１１を収納することができる。
勿論、収納室２２、２３が８室に限定されるものではなく、本発明である巣板の消毒装置１を大型にすれば収納室は８室以上設けることもできる。
【００２５】
このように、上部空間２内に縦方向に固定されている縦仕切り板３ｃの左右には、複数の収納室からなる左収納室２２と複数の収納室からなる右収納室２３が配置されている。前記各左右収納室内には多数の巣板（巣脾）１１を収納して消毒することができる。
【００２６】
図２に示すように、上空間１ｆを形成する上板１ａには通気孔６が穿設されている。符号１９、１９はペトリ皿である。上空間２ａ内の異物、例えば落下菌・浮遊菌を該ペトリ皿１９に捕取するものである。
【００２７】
図３に示すように、各巣板１１、１１、１１・・・の間には、ホルマリンのガスが通過可能な微小な隙間３ｂが形成されている。各巣板１１の上面と各棚板３ａの下面との間にも、隙間３ｑが形成されている。また、各巣板１１の側面と側板１ｃ、１ｃの内面との間にも隙間３ｔが形成されている。
【００２８】
図２ａに示すように、棚板３ａ、３ａ・・・は、格子戸のような構造であり、隙間３ｊ、格子３、隙間３ｊ、格子３・・・のように隙間３ｊと格子３ｋが交互に形成されている棚板である。下仕切り棚板３ｍは、格子戸状の構造とせずに下仕切り棚板３ｍを上下に貫通する複数の孔３ｉを穿設しても良い。これは、温められたホルマリン溶液のガスが上昇し、下部空間３に発生したホルマリン溶液のガスが上部空間２内に効率的に入り込むようにするためである。
【００２９】
図２ｂに示すように、縦仕切り板３ｃの構造は、前仕切り板３ｇと中仕切り板３ｈと後仕切り板３ｌとからなる。前仕切り板３ｇと中仕切り板３ｈとの間には隙間３ｎがあり、中仕切り板３ｈと後仕切り板３ｌとの間にも隙間３ｏがある。
このように、３枚の仕切り板３ｇ、３ｈ、３ｌ間に隙間があるのは、下部空間３に発生したホルマリン溶液のガスが上部空間２内に効率的に入り込むようにするためである。
【００３０】
上部空間２内に取り付けられている縦仕切り板３ｃは、縦方向に伸びて縦仕切り板３ｃの上端は上板１ａに固定され、縦仕切り板３ｃの下端は下仕切り棚板３ｍに固定されている。下仕切り棚板３ｍには、複数の孔３ｉを穿設しても良い。これは、ホルマリン溶液からでるガスが、容易に上部空間２内に上昇し流れ込むようにするためである。
【００３１】
図３に示すように、３ｂ、３ｄ、３ｅは隙間である。即ち、巣板１１と巣板１１間にも隙間３ｂが形成され、巣板１１と背板１ｅ間にも隙間３ｄが形成される。また、上扉５内面と巣板１１との間にも隙間３ｅが形成されている。更に、左右側板１ｃ、１ｃの内面と巣板１１間にも隙間が形成されている。
【００３２】
そして、図２に示すように、各棚板３ａ、３ａ、３ａ・・・上に置かれた複数の巣板１１、１１、１１・・の上端と真上にある各棚板３ａ、３ａ、３ａ・・・間にも隙間３ｑが形成されている。このように、隙間が存在することにより上部空間２内にホルマリン溶液のガスが満遍なく行き渡るようにするためである。
【００３３】
図４及び図４ａは棚板３ａの取り付け手段を示した図である。縦仕切り板３ｃと左右側板１ｃ、１ｃ間に取り付けられている各棚板３ａ、３ａ、３ａ、３ａ・・・は、夫々の棚板３ａの一端を縦仕切り板３ｃに切り込み３ｐ形成した溝１５に差し込むとともに、他端は側板１ｃに切り込み３ｐ形成された溝１６に差し込む。
【００３４】
これにより、夫々の棚板３ａは、溝１５、１６に沿って出し入れ自在となり、夫々の棚板３ａに巣板１１を載せた状態で、容易に前後方向に出し入れできる。
【００３５】
また、図４ａに示すように、棚板３ａは、側板１ｃの内面に支持部材２０を固定するとともに、縦仕切り板３ｃの外側にも支持部材２１を固定して、棚板３ａの両端部を載せて、支持部材２０、２１上をスライドさせることにより、前後方向に出し入れすることができる構造としても良い。
【００３６】
図５に示すように、底板１ｂの上にある下部空間３の底には、鋼板製の受け皿１７が置かれている。この受け皿１７は、中央部が凹んだ平坦な底１７ｂの周囲の４辺には底１７ｂから一体的に起立させて周囲を高くした構造の受け皿である。
【００３７】
図６に示すように、受け皿１７の底１７ｂに置かれたコンロ７は、コンロ７の上部に支持台７ａを置き、支持台７ａ上に内部にホルマリン溶液８ａが入れられた容器８を載せる。符号９は、前記コンロ７内において、前記ホルマリン溶液８ａが収容された容器８を加熱するための燃料９である。加熱する手段としては、木炭・豆炭・固形燃料を用いた卓上コンロ等又は電気コンロ等を使用して加熱しても良い。受け皿１７の底１７ｂ上には、ホルマリン溶液８ａを加熱するコンロ７を設置してある。尚、受け皿１７の底１７ｂには上下内部空間２、３内に皿１９を置いてもよい。この皿１９は、中細菌捕集のためのシャーレではなく、テスト細菌（塗布したスタヒルコッカス）の発育有無を知るために置くものです。
【００３８】
次に、前記のように構成された巣板の消毒装置１の作動について説明する。
先ず、本発明である巣板の消毒装置１の２つの上扉５，５及び２つの下扉４，４を開く。
次いで、複数の巣板１１を載せるための棚板３ａを縦仕切り板３ｃの左右に取り付け、複数の収納室２２、２３を設け、複数の収納室２２、２３内に巣板１１を並べる。
【００３９】
その後、巣板の消毒装置１の上扉５，５及び下扉４，４を閉じる。そして、下部空間３の受け皿１７の底１７ｂに置かれたコンロ７に、ホルマリン溶液８ａが収容された容器８を載せて、燃料９に点火してホルマリン溶液８ａを２５℃〜２８℃になるように維持しながら、約２４時間の間、下部空間３及び上部空間２にホルマリン溶液ガスを放出させる。
【００４０】
巣板１１の間及び巣板１１と壁面との間には、図３に示すように、各隙間３ｂ、３ｄ、３ｅ、３ｔが形成されているので、ホルマリン溶液のガスは、隙間３ｂ、３ｄ、３ｅ、３ｔを通って、巣板１１に行き渡る。約２４時間の経過後に多数の巣板１１の内部までもホルマリン溶液のガスにより完全に消毒される。
【００４１】
本発明である巣板の消毒装置１を用い、巣箱の巣板１１のホルマリン溶液ガスによる消毒を行った。即ち、上部空間２内の棚板３ａ上の収納室において消毒された巣板１１の巣房内壁を、綿棒による擦り取り法により摂取し、寒天培地及び血液培地に塗布し、そして、コンロ７にホルマリン溶液８ａが入れられた容器８を載せて、燃料を燃焼させてホルマリン溶液８ａを２５℃〜２８℃になるように維持しながら▲燻▼蒸消毒を行った。
その後、皿液培地により２４時間の経過後のスタヒルコッカスによる巣房内部の細菌発育の消長を調査した。巣箱内の温度は１０℃上昇した。
【００４２】
その結果、図７のように、各調査位置とも陰性を示し、▲燻▼蒸消毒の効果を確認できた。図７において、上、中、下段は、上部空間２の上段側の巣板支持体、中段側の巣板支持体、下段側の巣板支持体を示す。
【符号の説明】
【００４３】
１      巣板の消毒装置
１ａ    上板
１ｂ    底板
１ｃ    側板
１ｅ    背板
１ｆ    上空間
１ｇ    上仕切り棚板
２      上部空間
３      下部空間  
３ａ    棚板
３ｂ    隙間
３ｃ    縦仕切り板
３ｄ    隙間
３ｅ    隙間
３ｆ    孔
３ｇ    前仕切り板
３ｈ    中仕切り板
３ｉ    孔
３ｊ    隙間
３ｋ    格子
３ｌ    後仕切り板
３ｍ    下仕切り棚板
３ｎ    隙間
３ｏ    隙間
３ｐ    切り込み
３ｑ    隙間
３ｒ    寒暖計
３ｓ    隙間
３ｔ    隙間
４      下扉
４ａ    把手
５      上扉
５ａ    ガラス
５ｂ    把手
６      通気孔
６ａ    通気孔
６ｂ    通気孔
７      コンロ
７ａ    支持台
８      容器
８ａ    ホルマリン溶液
８ｂ    ガス
９      燃料
１０    温湿度計
１１    巣板
１２    蝶番
１３    蝶番
１５    溝
１６    溝
１７    受け皿
１７ａ  高さ形成部
１７ｂ  底
１９    ペトリ皿
１９ａ  皿
２０    支持部材
２１    支持部材
２２    左収納室
２３    右収納室
【図１】
2014018166.tif 000003
【図２】
2014018166.tif 000004
【図２ａ】
2014018166.tif 000005
【図２ｂ】
2014018166.tif 000006
【図３】
2014018166.tif 000007
【図４】
2014018166.tif 000008
【図４ａ】
2014018166.tif 000009
【図５】
2014018166.tif 000010
【図６】
2014018166.tif 000011
【図７】
2014018166.tif 000012